(57)【要約】【課題】この発明は、監視カメラとして使用できるようになる携帯端末を提供することを目的とする。【解決手段】カメラが搭載されているカメラ機能付き携帯端末において、動作モードとして、携帯端末を監視カメラとして使用するための監視カメラモードが設けられており、監視カメラモード時にカメラを作動させるとともにカメラから得られる画像に基づいて、画像に動きがあるか否かを判別する第１手段、および監視カメラモード時に画像に動きがあると判別した場合に、カメラによって撮像された画像を予め定められた他の端末に転送する第２手段を備えている。【選択図】  図１
2004165829.tif 000002
【特許請求の範囲】
【請求項１】
カメラが搭載されているカメラ機能付き携帯端末において、動作モードとして、携帯端末を監視カメラとして使用するための監視カメラモードが設けられており、
監視カメラモード時にカメラを作動させるとともにカメラから得られる画像に基づいて、画像に動きがあるか否かを判別する第１手段、および
監視カメラモード時に画像に動きがあると判別した場合に、カメラによって撮像された画像を予め定められた他の端末に転送する第２手段、
を備えていることを特徴するカメラ機能付き携帯端末。
【請求項２】
監視カメラモード時に当該携帯端末が予め登録された設置場所に存在しているか否かを監視する手段、ならびに
監視カメラモード時において、当該携帯端末が予め登録された設置場所に存在していると判別した場合には第１手段および第２手段による処理を許可し、当該携帯端末が予め登録された設置場所に存在していないと判別した場合には第１手段および第２手段による処理を禁止させる手段、
【請求項３】
監視カメラモード時に当該携帯端末が充電中であるか否かを監視する手段、ならびに
監視カメラモード時において、当該携帯端末が充電中であると判別した場合には第１手段および第２手段による処理を許可し、当該携帯端末が充電中でないと判別した場合には第１手段および第２手段による処理を禁止させる手段、
を備えていることを特徴とする請求項１に記載のカメラ機能付き携帯端末。
【請求項４】
監視カメラモード時に当該携帯端末が予め登録された設置場所に存在しているか否かを監視する手段、
監視カメラモード時に当該携帯端末が充電中であるか否かを監視する手段、ならびに
監視カメラモード時において、当該携帯端末が予め登録された設置場所に存在しておりかつ当該携帯端末が充電中であると判別した場合には第１手段および第２手段による処理を許可し、当該携帯端末が予め登録された設置場所に存在していないと判別した場合または当該携帯端末が充電中でないと判別した場合には第１手段および第２手段による処理を禁止させる手段、
を備えていることを特徴とする請求項１に記載のカメラ機能付き携帯端末。
【発明の詳細な説明】
【０００１】
【発明の属する技術分野】
この発明は、カメラが搭載された携帯型電話機等のカメラ機能付き携帯端末に関する。
【０００２】
【従来の技術】
カメラが搭載された携帯型電話機は、画像を撮像する機能を備えている。また、このような携帯型電話機は、画像を他の携帯型電話機に転送する機能をも備えている。本出願人は、携帯端末のこのような機能に着目して、携帯端末を監視カメラとして使用することを着想した。
【０００３】
【特許文献】特公平０６−３５１０１１号公報
【０００４】
【発明が解決しようとする課題】
この発明は、監視カメラとして使用できるようになる携帯端末を提供することを目的とする。
【０００５】
また、この発明は、監視カメラとして使用できるとともに、盗聴器として使用されるのを防止できる携帯端末を提供することを目的とする。
【０００６】
【課題を解決するための手段】
請求項１に記載の発明は、カメラが搭載されているカメラ機能付き携帯端末において、動作モードとして、携帯端末を監視カメラとして使用するための監視カメラモードが設けられており、監視カメラモード時にカメラを作動させるとともにカメラから得られる画像に基づいて、画像に動きがあるか否かを判別する第１手段、および監視カメラモード時に画像に動きがあると判別した場合に、カメラによって撮像された画像を予め定められた他の端末に転送する第２手段を備えていることを特徴する。
【０００７】
請求項２に記載の発明は、請求項１に記載のカメラ機能付き携帯端末において、監視カメラモード時に当該携帯端末が予め登録された設置場所に存在しているか否かを監視する手段、ならびに監視カメラモード時において、当該携帯端末が予め登録された設置場所に存在していると判別した場合には第１手段および第２手段による処理を許可し、当該携帯端末が予め登録された設置場所に存在していないと判別した場合には第１手段および第２手段による処理を禁止させる手段を備えていることを特徴とする。
【０００８】
請求項３に記載の発明は、請求項１に記載のカメラ機能付き携帯端末において、監視カメラモード時に当該携帯端末が充電中であるか否かを監視する手段、ならびに監視カメラモード時において、当該携帯端末が充電中であると判別した場合には第１手段および第２手段による処理を許可し、当該携帯端末が充電中でないと判別した場合には第１手段および第２手段による処理を禁止させる手段を備えていることを特徴とする。
【０００９】
請求項４に記載の発明は、請求項１に記載のカメラ機能付き携帯端末において、監視カメラモード時に当該携帯端末が予め登録された設置場所に存在しているか否かを監視する手段、監視カメラモード時に当該携帯端末が充電中であるか否かを監視する手段、ならびに監視カメラモード時において、当該携帯端末が予め登録された設置場所に存在しておりかつ当該携帯端末が充電中であると判別した場合には第１手段および第２手段による処理を許可し、当該携帯端末が予め登録された設置場所に存在していないと判別した場合または当該携帯端末が充電中でないと判別した場合には第１手段および第２手段による処理を禁止させる手段を備えていることを特徴とする。
【００１０】
【発明の実施の形態】
以下、図面を参照してこの発明の実施の形態について説明する。
【００１１】
以下、図面を参照して、  この発明を携帯型電話機に適用した場合の実施の形態について説明する。
【００１２】
図１は、主として監視カメラとして使用可能な携帯型電話機の概略構成を示している。
【００１３】
１００は、監視カメラとして使用可能な第１の携帯型電話機であり、２００は第１の携帯型電話機１００が監視カメラとして使用されているときに第１の携帯型電話機１００から画像が転送される第２の携帯型電話機である。画像が転送される第２の携帯型電話機の電話番号等の情報は、第１の携帯型電話機１００に予め登録されている。
【００１４】
第１の携帯型電話機１００の構成について説明する。ＭＰＵ１０は、携帯型電話機１００の全体的な制御を行う。アンテナ１１は、電波を送受信する。送受信部１２は、電波を受信し、受信内容をＭＰＵ１０に伝達する。また、送受信部１２は、ＭＰＵ１０から出力される送信信号を電波に乗せて発信する。
【００１５】
マイク１３は、音声信号をＭＰＵ１０に送る。スピーカ１４は、ＭＰＵ１０から出力される音声信号を音声として出力する。カメラ１５は、ディスプレイ２２が設けられている携帯型電話機本体の前面に取り付けられており、撮像した画像をＭＰＵ１０に送る。撮像モード時には、通常モード時の表示画像に代わって、カメラ１０によって撮像された画像がディスプレイ２２に表示される。
【００１６】
操作部１６は、携帯型電話機本体に設けられており、各種ボタン、各種スイッチを含んでいる。フラッシュメモリ１７には、電源オフ時においても保存すべきデータが格納される。
【００１７】
グラフィックスメモリ１８には、ディスプレイ２２に表示する画像データが格納される。ＭＰＵ１０から出力される画像データと書き込み制御信号に基づいて、グラフィックスメモリ１８の所定のアドレスに画像データが書き込まれる。また、グラフィックスメモリ１８からは、ディスプレイ２２の表示周期にあわせて、対応画素の画素データが走査タイミングに合わせて出力される。
【００１８】
タイミング制御ＩＣ１９は、ディスプレイ２２に画像データと、駆動信号を供給し、ディスプレイ２２に画像を表示させる。
【００１９】
位置測定装置２１は、図示しないＧＰＳ衛星からアンテナ２０を介してＧＰＳ信号を受信して携帯型電話機１００の位置を検出する。位置測定装置２１によって検出された位置はＭＰＵ１０に入力する。
【００２０】
この実施の形態では、携帯型電話機１００は、動作モードとして携帯型電話機１００を監視カメラとして使用するための監視カメラモードが設けられている。
【００２１】
携帯型電話機１００のユーザは、携帯型電話機１００を自宅の監視カメラとして使用したい場合には、操作部１６を操作することによって動作モードを監視カメラモードの設定するとともに、携帯型電話機１００を充電器にセットして、充電状態にさせる。
【００２２】
図２は、監視カメラモードが設定された場合の携帯型電話機１００の動作を示している。
【００２３】
監視カメラモードが設定されると、カメラ１５を作動状態にする（ステップ１）。そして、ＭＰＵ１０は、携帯型電話機１００の設置位置（設置場所）が予め登録された自宅の位置であるか否かを判別する（ステップ２）。具体的には、ＭＰＵ１０は、位置測定装置２１によって検出された携帯型電話機１００の位置に基づいて、携帯型電話機１００の設置位置が予め登録された自宅の位置であるか否かを判別する。なお、自宅の位置は、携帯型電話機１００の購入時に販売店によって携帯型電話機１００に登録され、ユーザによって変更できないようになっている。
【００２４】
携帯型電話機１００の設置位置が予め登録された自宅の位置でないと判別した場合には、ステップ２に戻る。携帯型電話機１００の設置位置が予め登録された自宅の位置であると判別した場合には、ＭＰＵ１０は、携帯型電話機１００が充電器による充電中であるか否かを判別する（ステップ３）。
【００２５】
携帯型電話機１００が充電中でないと判別した場合には、ステップ２に戻る。携帯型電話機１００が充電中であると判別した場合には、ＭＰＵ１０はカメラ１５から入力された画像に基づいて画像に動きがあるか否かを判定する（ステップ４）。画像の動きを検出する方法としては、フレーム間の差分に基づいて画像の動きを検出する方法、監視カメラモード設定時に記憶された基準となる画像と現在の画像との差分に基づいて画像の動きを検出する方法等がある。
【００２６】
画像に動きがあると判別した場合には、予め登録された携帯型電話機２００に現在撮像された画像を転送した後（ステップ７）、ステップ２に戻る。画像に動きがないと判別した場合には、マイク１３から入力された音声のレベルが所定の閾値以上であるか否かを判別する（ステップ５）。
【００２７】
マイク１３から入力された音声のレベルが所定の閾値以上であると判別した場合には、予め登録された携帯型電話機２００に現在撮像された画像を転送した後（ステップ７）、ステップ２に戻る。マイク１３から入力された音声のレベルが所定の閾値より小さいと判別したときには、予め登録された携帯型電話機２００から携帯型電話機１００に対して画像転送要求があったか否かを判別する（ステップ６）。
【００２８】
携帯型電話機２００から携帯型電話機１００に対して画像転送要求があった場合には、予め登録された携帯型電話機２００に現在撮像された画像を転送した後（ステップ７）、ステップ２に戻る。携帯型電話機２００から携帯型電話機１００に対して画像転送要求がなかった場合には、ステップ２に戻る。
【００２９】
上記実施の形態では、ステップ２において、携帯型電話機１００の設置位置が予め登録された自宅の位置であるか否かを判別しているが、自宅に最も近い基地局を予め登録しておき、携帯型電話機１００が基地局として登録されている基地局を現在選択しているか否かを判別するようにしてもよい。
【００３０】
また、ステップ２またはステップ３のうち、いずれか一方の処理を省略してもよい。ステップ３の処理を省略した場合には、携帯型電話機１００が充電中でなくても、画像転送が可能となる。
【００３１】
上記実施の形態によれば、携帯型電話機１００を監視カメラとして使用できるようになる。また、携帯型電話機１００が自宅に設置されている場合や、携帯型電話機１００がＡＣ電源を必要とする充電器によって充電されている場合に限って、画像の転送を可能としているので、携帯型電話機１００を盗聴器として使用されるのを防止することができる。
【００３２】
【発明の効果】
この発明によれば、携帯端末を監視カメラとして使用できるようになる。また、この発明によれば、携帯端末を監視カメラとして使用できるとともに、盗聴器として携帯端末が使用されるのを防止できるようになる。
【図面の簡単な説明】
【図１】携帯型電話機の概略構成を示すブロック図である。
【図２】監視カメラモードが設定された場合の携帯型電話機１００の動作を示している。
【符号の説明】
１０  ＭＰＵ
１１  アンテナ
１２  送受信部
１３  マイク
１５  カメラ
１６  操作部
２０  アンテナ
２１  位置測定装置
１００  第１の携帯型電話機
２００  第２の携帯型電話機
【図１】
2004165829.tif 000003
【図２】
2004165829.tif 000004